(57)【要約】  界面活性剤を含有しアルカノールアミン不含の液状組成物ａ）一種または二種以上のアニオン性界面活性剤、及びｂ）一種または二種以上のノニオン性界面活性剤、を含む液状組成物であって、成分ａ）及びｂ）の界面活性剤を、液状組成物の総質量を基準にして＞２５質量％の総濃度で含み、かつアルカノールアミン及びその塩を含まないことを特徴とする、液状組成物が開示される。該液状組成物は、漂白剤との組み合わせにおいて、同等のアルカノールアミン含有組成物と比べて、明らかにより高い漂白性能を示す。【特許請求の範囲】
【請求項１】
ａ）一種または二種以上のアニオン性界面活性剤、及び
ｂ）一種または二種以上のノニオン性界面活性剤、
を含む液状組成物であって、成分ａ）及びｂ）の界面活性剤を、液状組成物の総質量を基準にして＞２５質量％の総濃度で含みかつアルカノールアミン及びその塩を含まない、前記液状組成物。
【請求項２】
成分ａ）の一種または二種以上のアニオン性界面活性剤が、スルホネート、スルフェート、カルボキシレート及びホスフェートの部類の界面活性剤からなる群から選択され、及び成分ａ）のアニオン性界面活性剤の対イオンが、ナトリウム、カリウム、カルシウム及びマグネシウムのカチオンからなる群から選択されることを特徴とする、請求項１に記載の液状組成物。
【請求項３】
第二パラフィンスルホネートから選択される成分ａ）の一種または二種以上のアニオン性界面活性剤を含むことを特徴とする、請求項１または２に記載の液状組成物。
【請求項４】
ラウリン酸、ミリスチン酸、パルミチン酸、ステアリン酸、ベヘン酸、水素化エルカ酸、オレイン酸、リノール酸、リノレン酸及びこれらの混合物の塩、及び天然の油脂からの脂肪酸または脂肪酸混合物の塩、好ましくはココナッツ油、ダイズ油、ナタネ油、ヒマワリ油、キャノーラ油、パーム脂肪油、パーム核油、オリーブ油及び獣脂からの脂肪酸または脂肪酸混合物の塩からなる群から選択される、成分ａ）の一種または二種以上のアニオン性界面活性剤を含むことを特徴とする、請求項１〜３のいずれか一つに記載の液状組成物。
【請求項５】
成分ｂ）の一種または二種以上のノニオン性界面活性剤が、アルコキシル化脂肪アルコール、脂肪酸アミド、アルコキシル化脂肪酸アミド、アルキルフェノールポリグリコールエーテル、アミンオキシド、ポリヒドロキシ脂肪酸アミド及びアルキルポリグリコシドの部類の界面活性剤からなる群から選択されることを特徴とする、請求項１〜４のいずれか一つに記載の液状組成物。
【請求項６】
Ｃ１０〜Ｃ２０アルコールと、アルコール１モルあたり２〜１８モルのエチレンオキシドとの縮合生成物から選択される成分ｂ）の一種または二種以上のノニオン性界面活性剤を含むことを特徴とする、請求項１〜５のいずれか一つに記載の液状組成物。
【請求項７】
成分ａ）及びｂ）の界面活性剤を、液状組成物の総質量を基準にして３０〜５０質量％の総濃度で含むことを特徴とする、請求項１〜６のいずれか一つに記載の液状組成物。
【請求項８】
成分ａ）及びｂ）の界面活性剤を、液状組成物の総質量を基準にして＞５０質量％の総濃度で含むことを特徴とする、請求項１〜６のいずれか一つに記載の液状組成物。
【請求項９】
成分ａ）のアニオン性界面活性剤と成分ｂ）のノニオン性界面活性剤が、液状組成物中に、１０：１〜１：１０の成分ａ）：成分ｂ）の質量比で存在することを特徴とする、請求項１〜８のいずれか一つに記載の液状組成物。
【請求項１０】
プロテアーゼ、アミラーゼ、マンナーゼ、リパーゼ、エンドラーゼ、ペクチナーゼ、セルラーゼ、プルリナーゼ、クチナーゼ及びパーオキシダーゼからなる群から選択される一種または二種以上の酵素を含むことを特徴とする、請求項１〜９のいずれか一つに記載の液状組成物。
【請求項１１】
一種または二種以上のソイルリリースポリマーを含むことを特徴とする、請求項１〜１０のいずれか一つに記載の液状組成物。
【請求項１２】
液状組成物の総質量を基準にして１０〜６０質量％の量で水を含むことを特徴とする、請求項１〜１１のいずれか一つに記載の液状組成物。
【請求項１３】
液状組成物の総質量を基準にして＜１０質量％の量で水を含むことを特徴とする、請求項１〜１１のいずれか一つに記載の液状組成物。
【請求項１４】
繊維材料の洗浄のための、一種または二種以上の漂白剤の存在下での請求項１〜１３のいずれか一つに記載の液状組成物の使用。
【請求項１５】
液状組成物が一種または二種以上の漂白剤を含むことを特徴とする、請求項１４に記載の使用。
【請求項１６】
液状組成物は漂白剤を含まないが、使用の時に一種または二種以上の漂白剤と組み合わされることを特徴とする、請求項１４に記載の使用。
【請求項１７】
一種または二種以上の漂白剤が、過ホウ酸ナトリウム（一水和物及び四水和物）及び過炭酸ナトリウムからなる群から選択されることを特徴とする、請求項１４〜１６のいずれか一つに記載の使用。
【請求項１８】
液状組成物の総質量を基準にして１〜２５質量％の量で一種または二種以上の漂白剤が使用されることを特徴とする、請求項１４〜１７のいずれか一つに記載の使用。
【請求項１９】
一種または二種以上の漂白活性化剤の存在下に行われることを特徴とする、請求項１４〜１８のいずれか一つに記載の使用。
【請求項２０】
漂白活性化剤が漂白剤と一緒に物理的混合物中に、ただし液状組成物とは別けて使用され、漂白活性化剤と漂白剤との前記物理的混合物が２５℃で固形物の形で存在し、及び液状組成物は、漂白剤も漂白活性化剤も含まないことを特徴とする、請求項１９に記載の使用。
【請求項２１】
漂白活性化剤が、漂白剤とは別けてかつ液状組成物とは別けて使用され、及び液状組成物は漂白剤も漂白活性化剤も含まないことを特徴とする、請求項１９に記載の使用。
【請求項２２】
一種または二種以上の漂白活性化剤が、テトラアセチルエチレンジアミン、デカノイルオキシ安息香酸、ｎ−ノナノイルオキシベンゼンスルホネート及びｎ−ラウロイルオキシベンゼンスルホネートからなる群から選択される、請求項１９〜２１のいずれか一つに記載の使用。
【発明の詳細な説明】
【技術分野】
【０００１】
本発明は、アニオン性及びノニオン性界面活性剤を高総濃度で含むが、アルカノールアミン及びその塩を含まない液状組成物に関する。この液状組成物は、繊維材料の洗濯及び洗浄に使用でき、そして漂白系との組み合わせで有利な漂白性能を示す。
【背景技術】
【０００２】
液状洗濯洗剤は市場において非常に人気が高い。それというのも、これらは簡単にかつ埃を立てずに計量添加でき、洗濯活性成分を洗濯時に素早く放出し、加えて洗濯物上に残渣を残さないからである。この際、近年は、小さくかつ簡単に取り扱える包装単位を製造できるようにし及び輸送コストを下げるために、ますますより高濃縮型の液状洗濯洗剤が好まれる傾向も広まっている。
【０００３】
高濃縮液状洗濯洗剤の製造は、可溶性が非常に高い界面活性剤、ハイドロトロープ及び溶剤の使用を必要とする。このような製品では、非常に可溶性の高いエタノールアミン塩の形のアニオン性界面活性剤の使用や、溶媒としてのエタノールアミン類の使用も非常に広まっている。
【０００４】
液状洗濯洗剤の大きな欠点の一つは、漂白剤系とのそれの適合性が低いこと、またその結果としての、漂白可能な汚れに対するそれの洗浄性能が弱いことである。
【先行技術文献】
【特許文献】
【０００５】
【特許文献１】ＥＰ０４５８３９７
【特許文献２】ＥＰ０４５８３９８
【特許文献３】ＥＰ０５４９２７２
【特許文献４】ＷＯ９６／０６１５４
【特許文献５】ＷＯ９６／０６１５７
【特許文献６】ＷＯ２００６／１２５５１７
【特許文献７】ＥＰ１４４５３０５
【特許文献８】ＥＰ１５２０９１０
【特許文献９】ＥＰ１５５７４５７
【特許文献１０】ＷＯ２０１１／０９５３０８
【特許文献１１】ＵＳ４，６６４，８３９
【特許文献１２】ＥＰ−Ａ−０３８４０７０
【特許文献１３】ＵＳ３，１２８，２８７
【特許文献１４】ＵＳ３，６３５，８３０
【特許文献１５】ＵＳ４，６６３，０７１
【特許文献１６】ＵＳ４，５６６，９８４
【特許文献１７】ＵＳ３，１５９，５８１
【特許文献１８】ＵＳ３，２１３，０３０
【特許文献１９】ＵＳ３，４２２，０２１
【特許文献２０】ＵＳ３，４００，１４８
【特許文献２１】ＵＳ３，４２２，１３７
【発明の概要】
【発明が解決しようとする課題】
【０００６】
それ故、漂白剤系と一緒に使用した時に、漂白可能な汚れの有利な除去を洗濯時に可能とする、濃縮組成物、特に界面活性剤含有率が高い濃縮組成物を提供するという課題があった。
【課題を解決するための手段】
【０００７】
驚くべきことに、上記の課題は、
ａ）一種または二種以上のアニオン性界面活性剤、及び
ｂ）一種または二種以上のノニオン性界面活性剤、
を含む液状組成物であって、成分ａ）及びｂ）の界面活性剤を、液状組成物の総質量を基準にして＞２５質量％の総濃度で含みかつアルカノールアミン及びその塩を含まない、前記液状組成物によって解消されることが見出された。
【０００８】
それ故、本発明の対象は、
ａ）一種または二種以上のアニオン性界面活性剤、及び
ｂ）一種または二種以上のノニオン性界面活性剤、
を含む液状組成物であって、成分ａ）及びｂ）の界面活性剤を、液状組成物の総質量を基準にして＞２５質量％の総濃度で含みかつアルカノールアミン及びその塩を含まない、前記液状組成物である。
【０００９】
本発明による組成物は、漂白系との組み合わせにおいて、同等のアルカノールアミン含有組成物と比べて、明らかにより高い漂白性能を示す。
【発明を実施するための形態】
【００１０】
「液状」の本発明による組成物としては、本発明の枠内では、全ての液状のもしくは流動性の提供形態が意味される。本発明の意味において液状または流動性とは、注ぐことが可能で、５〜６０，０００ｍＰａｓの粘度を有する組成物のことである。粘度は、通常の標準的方法（例えば、ブルックフィールド粘度計ＬＶＴ−ＩＩ、２０回転／分及び２０℃）を用いて測定でき、この際、５〜＜１０００ｍＰａｓの粘度範囲にはスピンドル２が、１０００〜＜５０００ｍＰａｓの粘度範囲にはスピンドル３が、５０００〜＜１００００ｍＰａｓの粘度範囲にはスピンドル４が、そして１００００〜６００００ｍＰａｓの粘度範囲にはスピンドル７が使用される。
【００１１】
好ましくは、本発明による液状組成物は、１００〜２００００ｍＰａｓの粘度、特に好ましくは３００〜１００００ｍＰａｓの粘度、とりわけ好ましくは４００〜５０００ｍＰａｓの粘度を有する。
【００１２】
本発明による組成物は、ゲル状でもペースト状であることができ、これらは、均一な溶液または懸濁液として存在でき、これらはスプレー可能であることができ、いわゆるパウチとして提供できまたは他の慣用の提供形態で調合することができる。
【００１３】
好ましくは、本発明による組成物は、スルホネート、スルフェート、カルボキシレート及びホスフェートの部類の界面活性剤からなる群から選択される一種または二種以上のアニオン性界面活性剤を含み、より好ましくは、該組成物は、スルホネート、スルフェート及びカルボキシレートの部類の界面活性剤からなる群から選択される一種または二種以上のアニオン性界面活性剤を含む。中でも好ましいものは、成分ａ）の一種または二種以上のアニオン性界面活性剤が、スルホネート、スルフェート、カルボキシレート及びホスフェートの部類の界面活性剤からなる群から選択された、特に好ましくはスルホネート、スルフェート及びカルボキシレートの部類の界面活性剤からなる群から選択された本発明による組成物である。アニオン性界面活性剤の適当な対イオンは、ナトリウム、カリウム、カルシウム及びマグネシウムのカチオンである。
【００１４】
本発明による組成物は、アルカノールアミン及びその塩を含まない。これは、例えば、これらの物質が、アニオン性界面活性剤の対イオンとしても考慮されないことを意味する。
【００１５】
好ましいスルホネートは第二パラフィンスルホネートである。第二パラフィンスルホネートとは、ランダムに分布した状態で主として一つのＳＯ３Ｘ基をパラフィン炭化水素鎖の第二位置に、及び副次的な量で二つもしくはそれ以上のＳＯ３Ｘ基をパラフィン炭化水素鎖の第二位置に含む界面活性剤である（Ｘ＝カチオン）。パラフィン炭化水素鎖は、主として線状であり、炭素原子数８〜２２の分枝状パラフィン鎖は５質量％以下の小割合でしか存在しない。特に好ましいものは、パラフィン基中に１３〜１７個の炭素原子を有する第二パラフィンスルホネートである。
【００１６】
更に、第一スルホネート、好ましくはアルカン−もしくはアルケンスルホネートが好ましく、この際、アルキルもしくはアルケニル基は分枝状かまたは線状のいずれかであることができ、そして場合により、ヒドロキシル基で置換されていてもよい。好ましい第一スルホネートは、炭素原子数９〜２５、好ましくは炭素原子数１０〜２０、特に好ましくは炭素原子数１３〜１７の線状アルキルもしくはアルケニル鎖を含む。
【００１７】
オレフィンスルホネートも同様に好ましく、これは、Ｃ１２〜Ｃ２４−、好ましくはＣ１４〜Ｃ１６−α−オレフィンを三酸化硫黄でスルホン化し、次いで中和することによって得られる。製造方法に起因して、これらのオレフィンスルホネートは、ヒドロキシアルカンスルホネート及びアルカンジスルホネートを少量含み得る。
【００１８】
同様に、アルケニル−もしくはアルキルベンゼンスルホネートも好ましい。アルケニル−もしくはアルキル基は、分枝状もしくは線状であることができ、場合によってヒドロキシル基で置換されていてもよい。好ましいアルキルベンゼンスルホネートは、炭素原子数９〜２５、好ましくは炭素原子数１０〜１３の線状アルキル鎖を含む。
【００１９】
次式（１）のエステルスルホネートも同様に好ましい。
【００２０】
【化１】
2015531798.tif 000002
式中、Ｒ１はＣ８−Ｃ２０炭化水素残基、好ましくはアルキルを示し、そしてＲはＣ１〜Ｃ６炭化水素残基、好ましくはアルキルを示す。Ｍは、エステルスルホネートと水溶性の塩を形成するカチオンを表す。
【００２１】
特に好ましいものは、Ｒ１がＣ１０〜Ｃ１６アルキルを意味し、Ｒがメチルを意味するメチルエステルスルホネートである。
【００２２】
好ましいスルフェートは、式ＲＯＳＯ３Ｍの水溶性塩であり、ここで、Ｒは、Ｃ１０〜Ｃ２４炭化水素残基、好ましくはＣ１０〜Ｃ２０アルキル成分を有するアルキル−もしくはヒドロキシアルキル基、特に好ましくはＣ１２〜Ｃ１８アルキル−もしくはヒドロキシアルキル基である。Ｍは、ナトリウム、カリウム、カルシウム、マグネシウムまたはこれらの混合物である。
【００２３】
好ましいエステルスルフェートは、線形式ＲＯ（Ａ）ｍＳＯ３Ｍの水溶性塩であり、ここでＲは、置換されていないＣ１０〜Ｃ２４炭化水素残基、好ましくはＣ１０〜Ｃ２４アルキル基、またはヒドロキシ基によって置換されたＣ１０〜Ｃ２４炭化水素残基、好ましくはＣ１０〜Ｃ２４ヒドロキシアルキル基、特に好ましくはＣ１２〜Ｃ２０アルキルもしくはヒドロキシアルキル基、就中好ましくはＣ１２〜Ｃ１８アルキルもしくはヒドロキシアルキル基を示す。Ａはエトキシ（ＥＯ）またはプロポキシ（ＰＯ）単位であり、ｍは０より大きい数、好ましくは０．５〜６の数、特に好ましくは０．５〜３の数であり、そしてＭはカチオン、例えばナトリウム、カリウム、カルシウム、マグネシウムまたはこれらの混合物である。
【００２４】
特に好ましいものは、Ｃ１２〜Ｃ１８−脂肪アルコールエーテルスルフェートであり、この際、ＥＯの含有量は、脂肪アルコールエーテルスルフェート１モルあたり１、２、２．５、３または４モルであり、ここでＭはナトリウムまたはカリウムである。
【００２５】
更に別の好ましいアニオン性界面活性剤は、カルボキシレート、特に脂肪酸石けんである。石けんは飽和または不飽和であることができ、そして様々な置換基、例えばヒドロキシル基またはα−スルホネート基を含むことができる。線状で飽和もしくは不飽和の炭化水素残基が、炭素原子数６〜３０、好ましくは炭素原子数１０〜１８の疎水性部分として好ましい。
【００２６】
特に好ましいものは、ラウリン酸、ミリスチン酸、パルミチン酸、ステアリン酸、ベヘン酸、水素化エルカ酸、オレイン酸、リノール酸、リノレン酸及びこれらの混合物の塩、並びに天然の油脂からの脂肪酸もしくは脂肪酸混合物の塩、好ましくはココナツ油、ダイズ油、ナタネ油、ヒマワリ油、キャノーラ油、パーム脂肪油、パーム核油、オリーブ油及び獣脂からの脂肪酸または脂肪酸混合物の塩である。
【００２７】
本発明の組成物の成分ａ）の一種または二種以上の界面活性剤の中では、第二パラフィンスルホネートが特に好ましい。
【００２８】
好ましくは、本発明による組成物は、アルコキシル化脂肪アルコール、脂肪酸アミド、アルコキシル化脂肪酸アミド、アルキルフェノールポリグリコールエーテル、アミンオキシド、ポリヒドロキシ脂肪酸アミド及びアルキルポリグリコシドの部類の界面活性剤からなる群から選択される一種または二種以上のノニオン性界面活性剤を含む。中でも、成分ｂ）の一種または二種以上のノニオン性界面活性剤が、アルコキシル化脂肪アルコール、脂肪酸アミド、アルコキシル化脂肪酸アミド、アルキルフェノールポリグリコールエーテル、アミンオキシド、ポリヒドロキシ脂肪酸アミド及びアルキルポリグリコシドの部類の界面活性剤からなる群から選択される、本発明による組成物が好ましい。
【００２９】
アルコキシル化脂肪アルコールのアルキル−もしくはアルケニル基は、線状または分枝状、第一または第二であることができ、そして一般的に８〜２２個の炭素原子を含むことができる。特に好ましいものは、Ｃ１０〜Ｃ２０−アルコールと、アルコール１モルあたり２〜１８モルのエチレンオキシドとの縮合生成物である。アルコールエトキシレートは、エチレンオキシドの狭い同族体分布（「ナローレンジエトキシレート」）またはエチレンオキシドの広い同族体分布（「ブロードレンジエトキシレート」）を有することができる。このタイプの商業的に入手可能なノニオン性界面活性剤の例は、Ｔｅｒｇｉｔｏｌ（登録商標）１５−Ｓ−９（線状第二Ｃ１１〜Ｃ１５アルコールと９モルのエチレンオキシドとの縮合生成物）、Ｔｅｒｇｉｔｏｌ（登録商標）２４−Ｌ−ＮＭＷ（分子量分布が狭い線状第一Ｃ１２〜Ｃ１４アルコールと６モルのエチレンオキシドとの縮合生成物）である。同様に、Ｃｌａｒｉａｎｔ社のＧｅｎａｐｏｌ（登録商標）ブランドもこの部類の製品に該当する。
【００３０】
次式（２）の脂肪酸アミドが好ましい。
【００３１】
【化２】
2015531798.tif 000003
式中、Ｒは、炭素原子数７〜２１、好ましくは炭素原子数９〜１７のアルキル基であり、そして各Ｒ１基は、水素、Ｃ１〜Ｃ４アルキル、Ｃ１〜Ｃ４ヒドロキシアルキルまたは（Ｃ２Ｈ４Ｏ）ｘＨを意味し、ここでｘは１〜３の間で変わる。好ましいものは、Ｃ８〜Ｃ２０−アミド、−モノエタノールアミド、−ジエタノールアミド及び−イソプロパノールアミドである。
【００３２】
同様に、アルキルフェノールのポリエチレンオキシド縮合物、ポリプロピレンオキシド縮合物及びポリブチレンオキシド縮合物が好ましい。これらの化合物は、線状または分枝状であることができるＣ６〜Ｃ２０アルキル基を有するアルキルフェノールと、アルケンオキシドとの縮合生成物を包含する。これらの界面活性剤は、アルキルフェノールアルコキシレート、例えばアルキルフェノールエトキシレートと称される。
【００３３】
更に、次式（３）の水溶性アミンオキシドが好ましい。
【００３４】
【化３】
2015531798.tif 000004
ここでＲは、炭素原子数８〜２２の鎖長を有するアルキル基、ヒドロキシアルキル基またはアルキルフェノール基であり、Ｒ２は、炭素原子数２〜３のアルキレン基もしくはヒドロキシアルキレン基またはこれらの混合物であり、各々のＲ１基は、炭素原子数１〜３のアルキル基もしくはヒドロキシアルキル基、またはエチレンオキシド単位数１〜３のポリエチレンオキシド基であり、そしてｘは０〜１０の数を意味する。
【００３５】
同様に、次式（４）のポリヒドロキシ脂肪酸アミドも好ましく使用される。
【００３６】
【化４】
2015531798.tif 000005
式中、Ｒ１ＣＯは、炭素原子数６〜２２の脂肪族アシル基を表し、Ｒ２は、水素、炭素原子数１〜４のアルキル基またはヒドロキシアルキル基を表し、そしてＺは、炭素原子数３〜１０及びヒドロキシ基数３〜１０の線状または分枝状ポリヒドロキシアルキル基を表す。
【００３７】
式ＲＯ（Ｇ）ｘのアルキルポリグリコシドも同様に好ましく、ここでＲは、炭素原子数８〜２２、好ましくは炭素原子数１２〜１８の第一の直鎖状またはメチル分枝状、特に２位でメチル分枝状の脂肪族残基を表し、そしてＧは、炭素原子数５または６のグルコース単位、好ましくはグルコースを意味する。モノグリコシド及びオリゴグリコシドの分布を示すオリゴマー化度ｘは、好ましくは１〜１０の数であり、特に好ましくはｘは１．２〜１．４である。
【００３８】
本発明の組成物の成分ｂ）の一種または二種以上のノニオン性界面活性剤の中では、アルコキシル化脂肪アルコールが特に好ましい。
【００３９】
本発明の他の好ましい実施形態の一つでは、本発明による組成物は、成分ａ）及びｂ）の界面活性剤を、それぞれ本発明による組成物の総質量を基準にして、３０〜５０質量％、特に好ましくは３５〜４５質量％の総濃度で含む。
【００４０】
本発明の他の好ましい実施形態の一つでは、本発明による組成物は、成分ａ）及びｂ）の界面活性剤を、それぞれ本発明による組成物の総質量を基準にして、＞５０質量％、特に好ましくは５０〜８０質量％の総濃度で含む。
【００４１】
好ましくは、成分ａ）のアニオン性界面活性剤及び成分ｂ）のノニオン性界面活性剤は、本発明による組成物中に、１０：１〜１：１０、特に好ましくは５：１〜１：５、就中好ましくは３：１〜１：３、非常に好ましくは２：１〜１：２の成分ａ）：成分ｂ）の質量比で存在する。
【００４２】
上記のアニオン性界面活性剤及びノニオン性界面活性剤の他に、他の構成分として、更に両性及びカチオン性界面活性剤、漂白剤、漂白活性化剤、漂白触媒、ビルダー、コビルダー、洗浄アルカリ（Ｗａｓｃｈａｌｋａｌｉｅｎ）、酵素、金属イオン封鎖剤、ソイルリリースポリマー、黒ずみ防止剤、色移り防止剤、染料定着剤、錯体形成剤、蛍光増白剤、柔軟化成分、染料、フレグランス、乳化剤、ハイドロトロープ剤、有機溶剤、並びに水が、本発明による組成物中に含まれ得る。
【００４３】
適当な両性または双性イオン性界面活性剤は、アルキルベタイン、アルキルアミドベタイン、アミノプロピオネート、アミノグリシネートまたは次式（５）の両性イミダゾリニウム化合物である。
【００４４】
【化５】
2015531798.tif 000006
式中、Ｒ１は、Ｃ８〜Ｃ２２アルキルまたはアルケニルを意味し、Ｒ２は水素またはＣＨ２ＣＯ２Ｍ、Ｒ３ＣＨ２ＣＨ２ＯＨもしくはＣＨ２ＣＨ２ＯＣＨ２ＣＨ２ＣＯ２Ｍを意味し、Ｒ４は水素、ＣＨ２ＣＨ２ＯＨまたはＣＨ２ＣＨ２ＣＯＯＭを意味し、Ｚは、ＣＯ２ＭまたはＣＨ２ＣＯ２Ｍを意味し、ｎは２または３、好ましくは２を意味し、Ｍは水素またはカチオン、例えばアルカリ金属、アルカリ土類金属を意味する。
【００４５】
この式の好ましい両性界面活性剤は、モノカルボキシレート及びジカルボキシレートである。これの例は、ココアンフォ（ｃｏｃｏａｍｐｈｏ）カルボキシプロピオネート、ココアミドカルボキシプロピオン酸、ココアンフォカルボキシグリシネート（またはココアンフォジアセテートとも称される）及びココアンフォアセテートである。
【００４６】
他の好ましい両性界面活性剤は、線状または分枝状であることができる炭素原子数８〜２２、好ましくは炭素原子数８〜１８、特に好ましくは炭素原子数１２〜１８のアルキル基を有するアルキルジメチルベタイン及びアルキルジポリエトキシベタインである。これらの化合物は、例えば、Ｃｌａｒｉａｎｔ社から、Ｇｅｎａｇｅｎ（登録商標）ＬＡＢの商品名で販売されている。
【００４７】
本発明による組成物が一種または二種以上の両性界面活性剤を含む場合には、これらは、好ましくは、それぞれ本発明による組成物の総質量を基準にして、好ましくは０．１〜１０質量％の量、特に好ましくは０．５〜５質量％の量で該組成物中に含まれる。
【００４８】
適当なカチオン性界面活性剤は、Ｒ１Ｎ（ＣＨ３）３ρＸσ、Ｒ１Ｒ２Ｎ（ＣＨ３）２ρＸσ、Ｒ１Ｒ２Ｒ３Ｎ（ＣＨ３）ρＸσまたはＲ１Ｒ２Ｒ３Ｒ４ＮρＸσのタイプの置換されたまたは置換されていない、直鎖状または分枝状第四アンモニウム塩である。Ｒ１、Ｒ２、Ｒ３及びＲ４基は、好ましくは、互いに独立して、炭素原子数８〜２４、特に炭素原子数１０〜１８の鎖長を有する置換されていないアルキル、炭素原子数１〜４のヒドロキシアルキル、フェニル、Ｃ２〜Ｃ１８アルケニル、Ｃ７〜Ｃ２４アラルキル、（Ｃ２Ｈ４）ｘＨ（ここでｘは１〜３を意味する）、一つまたは二つ以上のエステル基を含むアルキル基、または環状第四アンモニウム塩であることができる。Ｘは適当なアニオンである。
【００４９】
他の適当なカチオン性界面活性剤は、次式（６）の第四アルキルヒドロキシアルキルアンモニウム塩である。
【００５０】
【化６】
2015531798.tif 000007
式中、Ｒ１は、炭素原子数５〜２２、好ましくは炭素原子数８〜１８、特に好ましくは炭素原子数８〜１４の、線状または分枝状で飽和または不飽和のアルキル基を表し、Ｒ２はメチル基を表し、Ｒ３はメチル基または類似物を表し、Ｒ４は式−Ａ−（ＯＡ）ｎ−ＯＨの基を表し、ここでＡは−Ｃ２Ｈ４−及び／または−Ｃ３Ｈ６−基であることができ、ｎは０〜２０の数であることができる。
【００５１】
Ｘは任意のアニオンであることができ、例えば塩化物イオン、臭化物イオン、ヨウ化物イオン、フッ化物イオン、硫酸イオン、硫酸水素イオン、炭酸イオン、炭酸水素イオン、酢酸イオン、クエン酸イオン、リン酸イオン、リン酸一水素または二水素イオン、ピロリン酸イオン、ポリリン酸イオン、メタリン酸イオン、硝酸イオン、メチル硫酸イオン、ホスホン酸イオン、メチルホスホン酸イオン、メタン二スルホン酸イオン、メチルスルホン酸イオン、エタンスルホン酸イオンなどであることができ、または式Ｒ６ＳＯ３−、Ｒ７ＳＯ４−またはＲ６ＣＯＯ−を表し、ここでＲ６及びＲ７は、Ｃ２〜Ｃ２０−、好ましくはＣ１０〜Ｃ１８−アルキルを意味し、そしてＲ７は追加的にＣ１〜Ｃ１８アルキルフェニルも意味する。
【００５２】
非常に好ましいものは、第四Ｃ８−１０アルキルジメチルヒドロキシエチルアンモニウムクロライドまたは−メトスルフェート、及び第四Ｃ１２−１４アルキルジメチルヒドロキシエチルアンモニウムクロライドまたは−メトスルフェートである。
【００５３】
本発明による組成物が一種または二種以上のカチオン性界面活性剤を含む場合には、これらは、それぞれ本発明による組成物の総質量を基準にして、好ましくは０．１〜１５質量％の量、特に好ましくは０．５〜７質量％の量で該組成物中に含まれる。
【００５４】
本発明による組成物が一種または二種以上のカチオン性界面活性剤を含む場合には、一種または二種以上のカチオン性界面活性剤と一種または二種以上のアニオン性界面活性剤との質量比は好ましくは１：１０〜１：５である。
【００５５】
漂白剤としては、過酸化水素及び無機過酸塩、好ましくは過炭酸塩、過ホウ酸塩、過硫酸塩及び過ケイ酸塩、特にアルカリ金属塩の形のこれらの塩である。特に好ましい漂白剤は、過酸化水素、過ホウ酸ナトリウム（一水和物及び四水和物）及び／または過炭酸ナトリウム、特に好ましくは過ホウ酸ナトリウム（一水和物及び四水和物）及び／または過炭酸ナトリウムである。
【００５６】
本発明による組成物は一種または二種以上の上記の漂白剤を含む場合には、これは漂白活性化剤を含んではならない。この場合、組成物は好ましくは漂白触媒も含まない。
【００５７】
本発明による組成物が一種または二種以上の漂白剤を含む場合には、これらは、それぞれ本発明による組成物の総質量を基準にして、好ましくは１〜２５質量％、特に好ましくは５〜２０質量％、特に好ましくは８〜１６質量％の量で該組成物中に含まれる。
【００５８】
本発明による組成物は、過酸またはそれの塩を含んではならない。
【００５９】
本発明の好ましい実施形態の一つでは、本発明による組成物は漂白剤を含まない、すなわちこれは漂白剤フリーである。
【００６０】
本発明による組成物が漂白剤を含まない場合には、これらは、一種または二種以上の漂白活性化剤を含むことができる。
【００６１】
漂白活性化剤としては、本発明による組成物は、次の群：ポリアシル化アルキレンジアミン、特にテトラアセチルエチレンジアミン（ＴＡＥＤ）、アシル化トリアジン誘導体、特に１，５−ジアセチル−２，４−ジオキソヘキサヒドロ−１，３，５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホネート、特にＮ−ノナノイルオキシ−もしくはｎ−ラウロイルオキシベンゼンスルホネート（ＮＯＢＳもしくはＬＯＢＳ）、アシル化フェノールオキシカルボン酸、特にノナノイルオキシ−もしくはデカノイルオキシ安息香酸（ＮＯＢＡもしくはＤＯＢＡ）、カルボン酸無水物、特にフタル酸無水物、アシル化多価アルコール、特にトリアセチン、エチレングリコールジアセテート及び２，５−ジアセトキシ−２，５−ジヒドロフラン並びにアセチル化ソルビトール及びマンニトールまたはこれらの混合物（ＳＯＲＭＡＮ）、アシル化糖誘導体、特にペンタアセチルグルコース（ＰＡＧ）、ペンタアセチルフルクトース、テトラアセチルキシロース及びオクタアセチルラクトース並びにアセチル化された、場合によってはＮ−アルキル化されたグルカミン及びグルコノラクトン、及び／またはＮ−アシル化ラクタム、例えばＮ−ベンゾイルカプロラクラム、の群から選択される一種または二種以上の物質を含むことができる。親水性に置換されたアシルアセタール及びアシルラクタムも同様に好ましく使用される。その他、ニトリル誘導体、例えばｎ−メチル−モルホリニウム−アセトニトリル−メチルスルフェート（ＭＭＡ）またはシアノモルホリン（ＭＯＲ）を漂白活性化剤として使用できる。慣用の漂白活性化剤の組み合わせも使用できる。
【００６２】
特に好ましい漂白活性化剤は、テトラアセチルエチレンジアミン、デカノイルオキシ安息香酸、ｎ−ノナノイルオキシベンゼンスルホネートまたはｎ−ラウロイルオキシベンゼンスルホネートである。
【００６３】
本発明による組成物が一種または二種以上の漂白活性化剤を含む場合には、これらは、それぞれ本発明による組成物の総質量を基準にして、好ましくは１〜１０質量％の量で、特に好ましくは１〜６質量％の量で、特に好ましくは２〜５質量％の量で該組成物中に含まれる。
【００６４】
本発明の好ましい実施形態の一つでは、本発明による組成物は漂白活性化剤を含まない、すなわち漂白活性化剤フリーである。
【００６５】
本発明の特に好ましい実施形態の一つでは、本発明による組成物は漂白剤も漂白活性化剤も含まない。
【００６６】
漂白触媒としては、好ましくは、マンガン、鉄、コバルト、ルテニウム、モリブデン、チタンまたはバナジウムの漂白増強遷移金属塩または錯体が適している。金属塩の使用の時は、特に、酸化状態＋２または＋３のマンガン塩、特にハロゲン化マンガン（この際、塩化物が好ましい）、硫酸マンガン、有機酸のマンガン塩、例えば酢酸マンガン、マンガンアセチルアセトネート、シュウ酸マンガン並びに硝酸マンガンが好ましい。
【００６７】
更に、酸化状態ＩＩまたはＩＩＩの鉄及び酸化状態ＩＩ、ＩＩＩ、ＩＶまたはＩＶのマンガンの錯体が好ましく、これらは好ましくは、ドナー官能基Ｎ１、ＮＲ、ＰＲ、Ｏ及び／またはＳを有する一つまたは複数のマクロ環状配位子を含む。好ましくは、窒素ドナー官能基を有する配位子が使用される。好ましいものは、高分子配位子として１，４，７−トリメチル−１，４，７−トリアザシクロノナン（Ｍｅ−ＴＡＣＮ）、１，４，７−トリアザシクロノナン（ＴＡＣＮ）、１，５，９−トリメチル−１．［デルタ］．［シータ］−トリアザシクロドデカン（Ｍｅ−ＴＡＣＤ）、２−メチル−１，４，７−トリメチル−１，４，７−トリアザシクロノナン（ＭｅＭｅＴＡＣＮ）及び／または２−メチル−１，４，７−トリアザシクロノナン（Ｍｅ／ＴＡＣＮ）または架橋された配位子、例えば１，２−ビス−（４，７−ジメチル−１，４，７−トリアザシクロノノ−１−イル）エタン（Ｍｅ４−ＤＴＮＥ）またはシクラムもしくはシクレンの誘導体、例えば１，８−ジメチルシクラム、１，７−ジメチルシクレン、１，８−ジエチルシクラム、１，７−ジエチルシクレン、１，８−ジベンジルシクラム及び１，７−ジベンジルシクレンを含む遷移金属錯体、例えばＥＰ０４５８３９７（特許文献１）、ＥＰ０４５８３９８（特許文献２）、ＥＰ０５４９２７２（特許文献３）、ＷＯ９６／０６１５４（特許文献４）、ＷＯ９６／０６１５７（特許文献５）またはＷＯ２００６／１２５５１７（特許文献６）に記載のようなもの、しかし他には、ＥＰ１４４５３０５（特許文献７）、ＥＰ１５２０９１０（特許文献８）、ＥＰ１５５７４５７（特許文献９）及びＷＯ２０１１／０９５３０８（特許文献１０）から知られるようなマンガン錯体である。
【００６８】
本発明による組成物が一種または二種以上の漂白活性化剤を含む場合には、これらは、本発明による組成物の総質量を基準にして、好ましくは０．００１〜２質量％の量で該組成物中に含まれる。
【００６９】
本発明による組成物中に含まれ得る更なる成分は、水の硬度を低めるための無機及び／または有機ビルダー及びコビルダーを含む。
【００７０】
これらのビルダーは、５〜８０％の質量割合で本発明による組成物中に含まれ得る。無機ビルダーには、例えばピロリン酸、例えばトリポリリン酸、ピロリン酸及びガラス様ポリマー性メタリン酸、ホスホン酸、ケイ酸、炭酸（重炭酸も含む）及びセスキ炭酸、硫酸及びアルミノケイ酸のアルカリ塩、アンモニウム塩及びアルカノールアンモニウム塩が挙げられる。
【００７１】
シリケートビルダーの例は、アルカリ金属ケイ酸塩、特にＳｉＯ２：Ｎａ２Ｏ比が１．６：１〜３．２：１のアルカリ金属ケイ酸塩であり、並びに層状ケイ酸塩、例えばＣｌａｒｉａｎｔ社からＳＫＳ（登録商標）、ＳＫＳ−６（登録商標）の商号で入手できる、ＵＳ４，６６４，８３９（特許文献１１）に記載のような層状ケイ酸ナトリウムが特に好ましい層状ケイ酸塩ビルダーである。
【００７２】
アルミノケイ酸塩ビルダーが特に好ましい。これは、特に、式Ｎａｚ［（ＡｌＯ２）ｚ（ＳｉＯ２）ｙ］・ｘＨ２Ｏを持つゼオライトであり、ここでｚ及びｙは、少なくとも６の整数を意味し、ｙに対するｚの比率は１．０〜０．５であり、そしてｘは１５〜２６４の整数を意味する。
【００７３】
アルミノケイ酸塩をベースとする適当なイオン交換体は、商業的に入手できる。これらのアルミノケイ酸塩は、結晶質構造または非晶質構造であることができ、そして天然に生ずるものかまたは合成して製造することもできる。
【００７４】
合成結晶質アルミノケイ酸塩をベースとする好ましいイオン交換体は、Ｚｅｏｌｉｔｈ  Ａ、Ｚｅｏｌｉｔｈ  Ｐ（Ｂ）（ＥＰ−Ａ−０３８４０７０（特許文献１２）に開示のものも含む）及びＺｅｏｌｉｔｈ  Ｘの名称で入手できる。
【００７５】
適当な有機ビルダーには、例えばＵＳ３，１２８，２８７（特許文献１３）及びＵＳ３，６３５，８３０（特許文献１４）に開示されるような、ポリカルボキシル化合物、例えばエーテルポリカルボキシレート及びオキシジスクシネートなどが挙げられる。同様に、ＵＳ４，６６３，０７１（特許文献１５）からの「ＴＭＳ／ＴＤＳ」ビルダーも挙げられる。
【００７６】
他の適当なビルダーには、エーテルヒドロキシポリカルボキシレート、アクリル酸と無水マレイン酸とのコポリマー、無水マレイン酸とエチレンまたはビニルメチルエーテルとのコポリマー、１，３，５−トリヒドロキシベンゼン−２，４，６−トリスルホン酸及びカルボキシメチルオキシコハク酸、ポリ酢酸のアルカリ、アンモニウム及び置換アンモニウム塩、例えばエチレンジアミンテトラ酢酸及びニトリロトリ酢酸、並びにポリカルボン酸、例えばメリト酸、コハク酸、オキシジコハク酸、ポリマレイン酸、ベンゼン−１，３，５−トリカルボン酸、カルボキシメチルオキシコハク酸、並びにこれらの可溶性の塩が含まれる。
【００７７】
シトレートベースのビルダー、例えばクエン酸及びそれの可溶性の塩、特にナトリウム塩は、好ましいポリカルボン酸ビルダーであり、これは、ゼオライト及び／または層状ケイ酸塩と一緒に使用することもできる。
【００７８】
更に別の適当なビルダーは、３，３−ジカルボキシ−４−オキサ−１，６−ヘキサンジオエート及びＵＳ４，５６６，９８４（特許文献１６）に記載の類似の化合物である。
【００７９】
リンをベースとするビルダーを使用できる時、様々なアルカリ金属リン酸塩、例えばトリポリリン酸ナトリウム、ピロリン酸ナトリウム及びオルトリン酸ナトリウムを使用することができる。エタン−１−ヒドロキシ−１，１−ジホスホネート並びにＵＳ３，１５９，５８１（特許文献１７）、ＵＳ３，２１３，０３０（特許文献１８）、ＵＳ３，４２２，０２１（特許文献１９）、ＵＳ３，４００，１４８（特許文献２０）及びＵＳ３，４２２，１３７（特許文献２１）に開示されるような他の既知のホスホネートなどのホスホネート系ビルダーも同様に使用することができる。
【００８０】
本発明による組成物は、組成物のｐＨを高める洗浄アルカリを含むことができる。適当なものは、炭酸塩、炭酸水素塩及びケイ酸塩、特にアルカリ炭酸塩、アルカリ炭酸水素塩、及びＳｉＯ２／Ｍ２Ｏ（Ｍ＝アルカリ原子）のモル比が１：１〜２．５：１のアルカリケイ酸塩である。
【００８１】
酵素としては、慣用の酵素を使用できる。好ましくは、本発明による組成物は、プロテアーゼ、アミラーゼ、マンナーゼ、リパーゼ、エンドラーゼ、ペクチナーゼ、セルラーゼ、プルリナーゼ、クチナーゼまたはパーオキシダーゼからなる群から選択される一種または二種以上の酵素を含む。
【００８２】
プロテアーゼには、例えばＬｉｑｕａｎａｓｅ（登録商標）Ｕｌｔｒａ  ２，０  ＸＬ、ＢＬＡＰ（登録商標）、Ｏｐｔｉｃｌｅａｎ（登録商標）、Ｍａｘａｃａｌ（登録商標）、Ｍａｘａｐｅｍ（登録商標）、Ｅｓｐｅｒａｓｅ（登録商標）、Ｓａｖｉｎａｓｅ（登録商標）、Ｐｕｒａｆｅｃｔ（登録商標）、ＯｘＰ及び／またはＤｕｒａｘｙｍ（登録商標）が、
アミラーゼには、例えばＳｔｅｉｎｚｙｍｅ（登録商標）Ｐｌｕｓ  １２Ｌ、Ｔｅｒｍａｍｙｌ（登録商標）、Ａｍｙｌａｓｅ（登録商標）ＬＴ、Ｍａｘａｍｙｌ（登録商標）、Ｄｕｒａｍｙｌ（登録商標）及び／またはＰｒｕａｆｅｃｔ（登録商標）Ｏｘが、
マンナーゼには、例えばＭａｎｎａｗａｙ  ４，０  Ｌが、
リパーゼには、例えばＬｉｐｅｘ（登録商標）１００  Ｌ、Ｌｉｐｏｌａｓｅ（登録商標）、Ｌｉｐｏｍａｘ（登録商標）、Ｌｕｍａｆａｓｔ（登録商標）及び／またはＬｉｐｏｚｙｍ（登録商標）が、
エンドラーゼには、例えばＥｎｄｏｌａｓｅ（登録商標）５０００Ｌが、
ペクチナーゼには、例えばＰｅｃｔｉｎｅｘ  ３Ｘ  Ｌ及び／またはＰｅｃｔｉｎｅｘ  Ｕｌｔｒａ  ＳＰＬが、そして
セルラーゼには、例えばＣａｒｅｚｙｍｅ  １０００  Ｌ及び／またはＣｅｌｌｕｃｌａｓｔ  １．５  Ｌが、
利用される。
【００８３】
好ましくは、本発明による組成物は、それぞれ本発明による組成物の総質量を基準にして、少なくとも０．００１質量％、特に好ましくは０．０１〜１０質量％、とりわけ好ましくは０．１〜５質量％、非常に好ましくは１〜３質量％の一種または二種以上の酵素を含む。
【００８４】
金属イオン封鎖剤としては、トリポリリン酸ナトリウム（ＳＴＰＰ）、エチレンジアミンテトラ酢酸（ＥＤＴＡ）及びその塩、ニトリロトリ酢酸（ＮＴＡ）、ポリアクリレート、ホスホネート、シュウ酸、シュウ酸塩、クエン酸、ゼオライト、縮合ホスフェート、カーボネート、ポリカーボネードが利用される。
【００８５】
ソイルリリースポリマー（ＳＲＰ）には、一種または二種以上のスルホ基不含芳香族ジカルボン酸及び／またはそれの塩、一種または二種以上のスルホ基含有ジカルボン酸、式Ｒ１Ｏ（ＣＨＲ２ＣＨＲ３Ｏ）ｎＨ（式中、Ｒ１は、Ｈ、炭素原子数１〜２２の線状または分枝状アルキルまたはアルケニル基、好ましくはＣ１〜Ｃ４アルキル、特に好ましくはメチルを表し、Ｒ２及びＲ３は、互いに独立して、水素を表すかまたは炭素原子数１〜４のアルキル基を表し、好ましくは水素及び／またはメチルを表し、そしてｎは１〜１００の数である）の一種または二種以上の化合物、式Ｈ−（ＯＣＨ２ＣＨ２）ｍ−ＳＯ３Ｘ（式中、ｍは１〜１００の数を表し、そしてＸは水素またはアルカリ金属イオンを表す）の一種または二種以上の化合物、及び一種または二種以上の架橋性多官能性化合物から選択される成分を重合して得ることができるポリエステルが適している。
【００８６】
本発明の好ましい実施形態の一つでは、本発明による組成物は一種または二種以上のソイルリリースポリマーを含む。本発明による組成物が一種または二種以上のソイルリリースポリマーを含む場合には、これらは、それぞれ本発明による組成物の総質量を基準にして、好ましくは０．１〜１０質量％の量で、特に好ましくは０．２〜３質量％の量で該組成物に含まれる。
【００８７】
黒ずみ防止剤としては、カルボキシメチルセルロース、メチルセルロース、ヒドロキシアルキルセルロース、メチルヒドロキシエチルセルロース、メチルヒドロキシプロピルセルロース、メチルカルボキシメチルセルロース及びポリビニルピロリドンが考慮される。
【００８８】
色移り防止剤、例えばポリアミン−Ｎ−オキシド、例えばポリ（４−ビニルピリジン−Ｎ−オキシド）、例えばＩＳＰ社のＣｈｒｏｍａｂｏｎｄ  Ｓ−４００、ポリビニルピロリドン、例えばＢＡＳＦ社のＳｏｋａｌａｎ（登録商標）ＨＰ５０、及びＮ−ビニルピロリドンとＮ−ビニルイミダゾール及び任意に他のモノマーとのコポリマーも考慮される。
【００８９】
本発明による組成物は、染料定着剤も含むことができ、例えばジエチレントリアミン、ジシアンジアミド及びアミド硫酸の反応、アミンとエピクロロヒドリンとの反応、例えばジメチルアミノプロピルアミンとエピクロロヒドリンとの反応またはジメチルアミンとエピクロロヒドリンとの反応、あるいはジシアンジアミド、ホルムアルデヒド及び塩化アンモニウムの反応、あるいはジシアンジアミド、エチレンジアミン及びホルムアルデヒドの反応、あるいはシアナミドとアミン及びホルムアルデヒドとの反応、あるいはポリアミンとシアナミド及びアミド硫酸との反応、あるいはシアナミドとアルデヒド及びアンモニウム塩との反応によって得られる染料定着剤、並びにポリアミン−Ｎ−オキシド、例えばポリ（４−ビニルピリジン−Ｎ−オキシド）、例えばＩＳＰ社のＣｈｒｏｍａｂｏｎｄ（登録商標）Ｓ−４００；  ポリビニルピロリドン、例えばＢＡＳＦ社のＳｏｋａｌａｎ（登録商標）ＨＰ５０、及びＮ−ビニルピロリドンとＮ−ビニルイミダゾール及び任意に他のモノマーのコポリマーも含むことができる。
【００９０】
本発明による組成物は、錯体形成剤、例えばアミノカルボキシレート類、例えばエチレンジアミンテトラアセテート、Ｎ−ヒドロキシエチルエチレンジアミントリアセテート、ニトリロトリアセテート、エチレンジアミンテトラプロピオネート、トリエチレンテトラアミンヘキサアセテート、ジエチレントリアミンペンタアセテート、シクロヘキサンジアミンテトラアセテート、ホスホネート類、例えばアザシクロヘプタンジホスホネート，Ｎａ塩、ピロホスフェート類、エチドロン酸（１−ヒドロキシエチリデン−１，１−ジホスホン酸、１−ヒドロキシエチアン−１，１−ジホスホン酸、アセトホスホン酸）及びこれらの塩、アミノホスホネート類、例えばエチレンジアミンテトラキス（メチレンホスホネート）、ジエチレントリアミンペンタキス（メチレンホスホネート）、アミントリメチレンホスホン酸、シクロデキストリン類、並びに多官能性置換芳香族錯体形成剤、例えばジヒドロキシジスルホベンゼンまたはエチレンジアミンジスクシネート類を含むことができる。
【００９１】
蛍光増白剤としては、環状炭化水素、例えばジスチリルベンゼン類、ジスチリルビフェニル類、ジフェニルスチルベン類、トリアジニルアミノスチルベン類、スチルベニル−２Ｈ−トリアゾ−ル類、例えばスチルベンジル−２Ｈ−ナフトール［１，２−ｄ］トリアゾ−ル類及びビス（１，２，３−トリアゾ−ル−２−イル）スチルベン類、ベンゾキサゾール類、例えばスチルベニルベンゾキサゾール及びビス（ベンゾキサゾール）、フラン類、ベンゾフラン類及びベンズイミダゾール類、例えばビス（ベンゾ［ｂ］フラン−２−イル）ビフェニル及びカチオン性ベンズイミダゾール類、１，３−ジフェニル−２−ピラゾリン、クマリン、ナフタルイミド類、１，３，５−２−イル−誘導体、メチンシアニン及びジベンゾチオフェン−５，５−オキシドを使用することができる。
【００９２】
好ましいものは、アニオン性蛍光増白剤、特にスルホン化された化合物である。
【００９３】
更に、トリアジニルアミノスチルベン類、ジスチリルビフェニル類及びこれらの混合物、２−（４−スチリルフェニル）−２Ｈ−ナフト［１，２−ｄ］トリアゾール、４，４’−ビス−（１，２，３−トリアゾール−２−イル）スチルベン、アミノクマリン、４−メチル−７−エチルアミノクマリン、１，２−ビス（ベンズイミダゾール−２−イル）エチレン、１，３−ジフェニルフラゾリン、２，５−ビス（ベンゾオキサゾール−２−イル）チオフェン類、２−スチリル−ナフト［１，２−ｄ］オキサゾール、２−（４−スチリル−３−スルホフェニル）−２Ｈ−ナフト［１，２−ｄ］トリアゾール、及び２−（スチルベン−４−イル）−２Ｈ−ナフトール［１，２−ｄ］トリアゾールが考慮される。
【００９４】
本発明による組成物が一種または二種以上の蛍光増白剤を含む場合には、それぞれ本発明による組成物の総質量を基準にして、これらは好ましくは０．００１〜２質量％の量、特に好ましくは０．００２〜０．８質量％の量、とりわけ好ましくは０．００３〜０．４質量％の量で該組成物中に含まれる。
【００９５】
柔軟化成分としては、次のタイプの第四アンモニウム塩が使用される。
【００９６】
【化７】
2015531798.tif 000008
Ｒ１は、Ｃ８−Ｃ２４  ｎ−もしくはｉｓｏ−アルキル、好ましくはＣ１０−Ｃ１８  ｎ−アルキルであり、
Ｒ２は、Ｃ１−Ｃ４−アルキル、好ましくはメチルであり、
Ｒ３は、Ｒ１またはＲ２であり、
Ｒ４は、Ｒ２またはヒドロキシエチルもしくはヒドロキシプロピルもしくはこれらのオリゴマーであり、及び
Ｘ−は、臭化物イオン、塩化物イオン、ヨウ化物イオン、メト硫酸イオン、酢酸イオン、プロピオン酸イオンまたは乳酸イオンである。
【００９７】
これの例は、ジステアリルジメチルアンモニウムクロライド、ジタローアルキルジメチルアンモニウムクロライド、ジタローアルキルメチルヒドロキシプロピルアンモニウムクロライド、セチルトリメチルアンモニウムクロライドまたは対応するベンジル誘導体、例えばドデシルジメチルベンジルアンモニウムクロライドである。アルキルモルホリン誘導体などの環状第四アンモニウム塩も同様に使用することができる。
【００９８】
更に、上記の第四アンモニウム化合物の他に、イミダゾリニウム化合物（１）及びイミダゾリン誘導体（２）を使用することができる。
【００９９】
【化８】
2015531798.tif 000009
式中、
Ｒは、Ｃ８−Ｃ２４  ｎ−もしくはｉｓｏ−アルキル、好ましくはＣ１０−Ｃ１８  ｎ−アルキルであり、
Ｘは、臭化物イオン、塩化物イオン、ヨウ化物イオンまたはメト硫酸イオンであり、及び
Ａは、−ＮＨ−ＣＯ−、−ＣＯ−ＮＨ−、−Ｏ−ＣＯ−または−ＣＯ−Ｏ−である。
【０１００】
特に好ましい化合物群は、いわゆるエステルクワット（Ｅｓｔｅｒｑｕａｔ）である。これは、アルカノールアミンと脂肪酸とを反応させ、次いでその生成物を通常のアルキル化剤またはヒドロキシアルキル化剤で四級化した反応生成物である。
【０１０１】
エステルクワットの例は、次式の化合物である：
【０１０２】
【化９】
2015531798.tif 000010
式中、Ｒ−Ｃ−Ｏは、飽和または不飽和であることができるＣ８−Ｃ２４−脂肪酸から誘導される。インデックスｎは、０〜１０の範囲、好ましくは０〜３の範囲、特に好ましくは０〜１の範囲である。
【０１０３】
更に別の好ましい洗濯柔軟剤原料は、例えばジアルキルトリアミン及び長鎖脂肪酸をベースとするアミドアミン類、並びにそれのオキシエチレートまたは四級化物である。これらの化合物は次の構造を有する：
【０１０４】
【化１０】
2015531798.tif 000011
式中、
Ｒ１及びＲ２は、互いに独立して、Ｃ８−Ｃ２４  ｎ−もしくはｉｓｏ−アルキル、好ましくはＣ１０−Ｃ１８  ｎ−アルキルであり、
Ａは、−ＣＯ−ＮＨ−または−ＮＨ−ＣＯ−を意味し、
ｎは、１〜３、好ましくは２を意味し、そして
ｍは、１〜５、好ましくは２〜４を意味する。
【０１０５】
第三アミノ基の四級化によって、追加的に、Ｃ１−Ｃ４アルキル、好ましくはメチルであることができるＲ３基、及び塩化物イオン、臭化物イオン、ヨウ化物イオンまたはメチル硫酸イオンであることができる対イオンＸを導入することができる。アミドアミノエトキシレートまたはそれの四級化された転化生成物は、Ｖａｒｉｓｏｆｔ（登録商標）５１０、Ｖａｒｉｓｏｆｔ（登録商標）５１２、Ｒｅｗｏｐａｌ（登録商標）Ｖ３３４０及びＲｅｗｏｑｕａｔ（登録商標）Ｗ２２２ＬＭの商品名で提供されている。
【０１０６】
本発明による組成物は、好ましくは、染料及びフレグランスもしくは香料を含む。
【０１０７】
染料として好ましいものは、アシッドレッド１８（ＣＩ１６２５５）、アシッドレッド２６、アシッドレッド２７、アシッドレッド３３、アシッドレッド５１、アシッドレッド８７、アシッドレッド８８、アシッドレッド９２、アシッドレッド９５、アシッドレッド２４９（ＣＩ）１８１３４、アシッドレッド５２（ＣＩ４５１００）、アシッドバイオレッド１２６、アシッドバイオレッド４８、アシッドバイオレッド５４、アシッドイエロー１、アシッドイエロー３（ＣＩ４７００５）、アシッドイエロー１１、アシッドイエロー２３（ＣＩ１９１４０）、アシッドイエロー３、ダイレクトブルー１９９（ＣＩ７４１９０）、ダイレクトイエロー２８（ＣＩ１９５５５）、フードブルー２（ＣＩ４２０９０）、フードブルー５：２（ＣＩ４２０５１：２）、フードレッド７（ＣＩ１６２５５）、フードイエロー１３（ＣＩ４７００５）、フードイエロー３（ＣＩ１５９８５）、フードイエロー４（ＣＩ１９１４０）、リアクティブグリーン１２、ソルベントグリーン７（ＣＩ５９０４０）である。
【０１０８】
特に好ましい染料は、水溶性酸性染料、例えばフードイエロー１３（アシッドイエロー３、ＣＩ４７００５）、フードイエロー４（アシッドイエロー２３、ＣＩ１９１４０）、フードレッド７（アシッドレッド１８、ＣＩ１６２５５）、フードブルー２（アシッドブルー９、ＣＩ４２０９０）、フードブルー５（アシッドブルー３、ＣＩ４２０５１）、アシッドレッド２４９（ＣＩ１８１３４）、アシッドレッド５２（ＣＩ４５１００）、アシッドバイオレッド１２６、アシッドバイオレッド４８、アシッドブルー８０（ＣＩ６１５８５）、アシッドブルー１８２、アシッドブルー１８２、アシッドグリーン２５（ＣＩ６１５７０）、アシッドグリーン８１である。
【０１０９】
同様に、水溶性ダイレクト染料、例えばダイレクトイエロー２８（ＣＩ１９５５５）、ダイレクトブルー１９９（ＣＩ７４１９０）、及び水溶性リアクティブ染料、例えばリアクティブグリーン１２、並びに次の染料、すなわちフードイエロー３（ＣＩ１５９８５）、アシッドイエロー１８４も同様に好ましく使用することができる。
【０１１０】
次の顔料着色剤の水性分散液も同様に好ましく使用することができ、この際、溶液または分散液の着色に使用される着色剤分散液の濃度は、好ましくは０．１〜５０質量％の範囲、特に好ましくは１〜４５質量％の範囲、とりわけ好ましくは５〜４０質量％の範囲、非常に好ましくは１０〜３５質量％の範囲である。
【０１１１】
水性顔料分散液が、顔料の他に、分散剤及び任意に更に別の助剤、例えば殺生物剤などを含むことは当業者には既知である。
【０１１２】
顔料着色剤には、ピグメントブラック７（ＣＩ７７２６６）、ピグメントブルー１５（ＣＩ７４１６０）、ピグメントブルー１５：１（ＣＩ７４１６０）、ピグメントブルー１５：３（ＣＩ７４１６０）、ピグメントグリーン７（ＣＩ７４２６０）、ピグメントオレンジ５、ピグメントレッド１１２（ＣＩ１２３７０）、ピグメントレッド１１２（ＣＩ１２３７０）、ピグメントレッド１２２（ＣＩ７３９１５）、ピグメントレッド１７９（ＣＩ７１１３０）、ピグメントレッド１８４（ＣＩ１２４８７）、ピグメントレッド１８８（ＣＩ１２４６７）、ピグメントレッド４（ＣＩ１２０８５）、ピグメントレッド５（ＣＩ１２４９０）、ピグメントレッド９、ピグメントバイオレット２３（ＣＩ５１３１９）、ピグメントイエロー１（ＣＩ１１６８０）、ピグメントイエロー１３（ＣＩ２１１００）、ピグメントイエロー１５４、ピグメントイエロー３（ＣＩ１１７１０）、ピグメントイエロー７４、ピグメントイエロー８３（ＣＩ２１１０８）、ピグメントイエロー９７などが考慮される。
【０１１３】
本発明の好ましい実施形態の一つでは、次の顔料着色剤が分散液の形で使用される：ピグメントイエロー１（ＣＩ１１６８０）、ピグメントイエロー３（ＣＩ１１７１０）、ピグメントレッド１１２（ＣＩ１２３７０）、ピグメントレッド５（ＣＩ１２４９０）、ピグメントレッド１８１（ＣＩ７３３６０）、ピグメントバイオレット２３（ＣＩ５１３１９）、ピグメントブルー１５：１（ＣＩ７４１６０）、ピグメントグリーン７（ＣＩ７４２６０）、ピグメントブラック７（ＣＩ７７２６６）。
【０１１４】
他の好ましい実施形態の一つでは、水溶性ポリマー染料、例えばリキティント（登録商標）、リキティントブルーＨＰ．（登録商標）、リキティントブルー６５．（登録商標）、リキティントパテントブルー（登録商標）、リキティントローヤルブルー．（登録商標）、リキティントエクスペリメンタルイエロー８９４９−４３．（登録商標）、リキティントグリーンＨＭＣ．（登録商標）、リキティントイエローＩＩ．（登録商標）及びこれらの混合物が使用される。
【０１１５】
フレグランスまたは香料としては、個々の匂い化合物、例えばエステル、エーテル、アルデヒド、ケトン、アルコール及び炭化水素のタイプの合成生成物を使用できる。エステルのタイプの匂い化合物は、例えばベンジルアセテート、フェノキシエチルイソブチレート、ｐ−ｔｅｒｔ．−ブチルシクロヘキシルアセテート、リナリルアセテート、ジメチルベンジルカルビニルアセテート、フェニルエチルアセテート、リナリルベンゾエート、ベンジルホルミエート、エチルメチルフェニルグリシネート、アリルシクロヘキシルプロピオネート、スチラリルプロピオネート及びベンジルサリチレートである。エーテルには、例えばベンジルエチルエーテルが、アルデヒドには、例えば炭素原子数８〜１８の線状アルカナール、シトラール、シトロネラール、シトロネリルオキシアセトアルデヒド、ヒドロキシシトロネラール、リリアール及びブルゲオナールが、ケトンには、例えばアイオノン、アルファ−イソメチルアイオノン及びメチル−セドリルケトンが、アルコールには、アネトール、シトロネロール、オイゲノール、ゲラニオン、リナロール、フェニルエチルアルコール及びテルピネオールが、炭化水素には主にテルペン類及びバルサム類が挙げられる。好ましくは、一緒になって心地良い香気を生む様々な匂い物質の混合物が使用される。
【０１１６】
香油は、植物性または動物性の源から得ることができるような天然の匂い物質混合物、例えばパイン油、シトラス油、ジャスミン油、ユリ油、バラ油、またはイランイラン油も含むことができる。大概の場合に芳香成分として使用される揮発性が比較的低いエーテル油も香油として適しており、例えばセージ油、カモミール油、チョウジ油、メリッサ油、ハッカ油、シナモンリーフ油、リンデンブロッサム油及びジュニパーベリー油などがある。
【０１１７】
好ましくは、上記のフレグランス及び香油の溶液またはエマルションが使用され、これらは通例の方法で製造することができる。
【０１１８】
乳化剤としては、Ｃ原子数８〜２２の線状もしくは分枝状で飽和もしくは不飽和の脂肪アルコール、Ｃ原子数１２〜２２の脂肪酸、アルキル基中のＣ原子数が８〜１５のアルキルフェノール及びソルビタンエステルに０〜３０モルのアルキレンオキシド、特にエチレンオキシド、プロピレンオキシド及び／またはブチレンオキシドが付加した付加生成物；
グリセリンに０〜３０モルのエチレンオキシドが付加した付加生成物の（Ｃ１２〜Ｃ１８）脂肪酸モノ−及びジエステル；
炭素原子数６〜２２の飽和もしくは不飽和脂肪酸及び場合によりそれらのエチレンオキシド付加生成物のグリセリンモノ−及びジエステル並びにソルビタンモノ−及びジエステル；
ヒマシ油及び／または硬化ヒマシ油に５〜６０モル、好ましくは１５〜６０モルのエチレンオキシドが付加した付加生成物；
ポリオールエステル、特にポリグリセリンエステル、例えばポリグリセリンポリリシノレエート及びポリグリセリンポリ−１２−ヒドロキシステアレート、
が考慮される。
【０１１９】
更に、エトキシル化及び非エトキシル化モノ−、ジ−もしくはトリ−リン酸エステルなどのアニオン性乳化剤、並びにモノ−、ジ−もしくはトリ−アルキルクワット（Ａｌｋｙｌｑｕａｔ）及びそれらのポリマー性誘導体などのカチオン性乳化剤も使用することができる。
【０１２０】
同様に、上記の物質群の複数からの化合物の混合物も適している。
【０１２１】
ハイドロトロープ剤としては、カリウムまたはナトリウム塩またはこれらの混合物の形態のキシレンスルホネート、トルエンスルホネート及びクメンスルホネートが適している。
【０１２２】
本発明の好ましい実施形態の一つでは、本発明による組成物は、それぞれ本発明による組成物の総質量を基準にして、一種または二種以上のハイドロトロープ剤を１〜１０質量％の量で、好ましくは１〜６質量％の量で、特に好ましくは２〜５質量％の量で含む。
【０１２３】
好ましい有機溶剤は、一価もしくは多価アルコールまたはグルコールエーテルの群に由来するものである。好ましくは、溶剤は、エタノール、ｎ−もしくはｉ−プロパノール、ブタノール、グリコール、プロパンジオールもしくはブタンジオール、グリセリン、ジグリコール、プロピルジグリコールもしくはブチルジグリコール、ヘキシレングリコール、エチレングリコールメチルエーテル、エチレングリコールエチルエーテル、エチレングリコールプロピルエーテル、エチレングリコールモノ−ｎ−ブチルエーテル、ジエチレングリコールメチルエーテル、ジエチレングリコールエチルエーテル、プロピレングリコールメチルエーテル、プロピレングリコールエチルエーテルまたはプロピレングルコールプロピルエーテル、ジプロピレングリコールメチルエーテルもしくはジプロピレングリコールエチルエーテル、メトキシトリグリコール、エトキシトリグリコールもしくはブトキシトリグリコール、１−ブトキシエトキシ−２−プロパノール、３−メチル−３−メトキシブタノール、プロピレン−グリコール−ｔ−ブチルエーテル、ポリグリコール、好ましくはポリエチレングリコール、並びにこれらの溶剤の混合物から選択される。
【０１２４】
更に、本発明による組成物は水を含む。
【０１２５】
本発明の好ましい実施形態の一つでは、本発明による組成物中の水の量は、それぞれ本発明による組成物の総質量を基準にして、１０〜６０質量％、好ましくは１０〜４０質量％、特に好ましくは１０〜２０質量％である。
【０１２６】
本発明のさらに別の好ましい実施形態の一つでは、本発明による組成物中の水の量は、それぞれ本発明による組成物の総質量を基準にして、＜１０質量％、好ましくは＜８質量％、特に好ましくは＜６質量％、とりわけ好ましくは＜５質量％である。この際、水の最小量は、本発明による組成物の総質量を基準にして好ましくは３質量％である。
【０１２７】
本発明による組成物は、好ましくは７〜１１、特に好ましくは７．５〜１０、とりわけ好ましくは７．５〜８．５のｐＨ値を有する。
【０１２８】
しかし、液状組成物の総質量を基準に＜４０質量％の含水率を有する液状組成物のｐＨ値は、そのままのこの液状組成物については求めることができないことは当業者には既知である。含水率が＜４０質量％の液状組成物については、この液状組成物の１質量％濃度水溶液を調製し、そしてそれのｐＨ値を慣用の方法で求める。
【０１２９】
それ故、上述したｐＨ値は、含水率が４０質量％以上（本発明による組成物の総質量基準）の本発明による組成物についてはそのまま直接当てはまり、そして含水率が＜４０質量％（本発明による組成物の総質量基準）の本発明による組成物については、本発明の組成物の１質量％濃度水溶液に当てはまる。
【０１３０】
本発明による組成物は、繊維材料の洗浄のためには、特に繊維材料上の漂白可能な汚れの除去のためには、一種または二種以上の漂白剤の存在下に有利に使用できる。
【０１３１】
それ故、本発明の他の対象は、繊維材料の洗浄のための、特に繊維材料上の漂白可能な汚染物の除去のための、一種または二種以上の漂白剤の存在下での本発明による組成物の使用である。
【０１３２】
本発明による使用では、本発明による組成物は、匹敵するアルカノールアミンまたはアルカノールアミン塩を含有する組成物と比べて、明らかにより強い洗浄能力を示す。
【０１３３】
本発明による使用では、本発明による組成物は、既に上述したように、一種または二種以上の漂白剤を含むことができる。
【０１３４】
本発明による使用では、本発明による組成物は、本発明による組成物とは別けて使用される一種または二種以上の漂白剤と組み合わせることができる。これは、本発明による組成物が既に漂白剤を含む場合にも該当し得る。
【０１３５】
しかし、本発明の好ましい実施形態の一つでは、本発明による組成物は漂白剤を含まないが、使用の時に一種または二種以上の漂白剤と組み合わせるようにして使用される。
【０１３６】
本発明による使用において本発明による組成物と組み合わせることができる漂白剤とは、一方では、漂白活性化剤と反応して、その際に、低温（例えば＜７０℃）で、漂白剤単独の場合と比べてかなりより効果的に漂白するパーオキシ酸を形成する化合物と解される。
【０１３７】
このような漂白剤として適したものは、過酸化水素及び無機過酸塩、好ましくは過炭酸塩、過ホウ酸塩、過硫酸塩及び過ケイ酸塩、特にアルカリ金属塩の形のこれらの塩である。特に好ましいこのような漂白剤は、過酸化水素、過ホウ酸ナトリウム（一水和物及び四水和物）及び／または過炭酸ナトリウム、特に好ましくは過ホウ酸ナトリウム（一水和物及び四水和物）及び／または過炭酸ナトリウムである。
【０１３８】
本発明による組成物中に含まれてはならないが、本発明による使用において本発明による組成物と組み合わせることができる漂白剤とは、他方で、漂白活性化剤無しで作用する化合物と解される。適当なこのような漂白剤は、過酸またはその塩である。
【０１３９】
特に好ましい過酸または過酸塩は、次式のパーオキシカルボン酸及びその塩である。
【０１４０】
【化１１】
2015531798.tif 000012
式中、Ｒは、アルキル基、アラルキル基、シクロアルキル基、アリール基またはヘテロ環式基を表し、好ましくは線状または分枝状で置換されたまたは置換されていないアルキル基を表し、特に好ましくは炭素原子数６〜９のアルキル基を表し、そしてＸ＋は、適当な対イオン、好ましくはＨ＋、カリウムイオンまたはナトリウムイオンを意味する。好ましいものは、パーオキシヘキサノイル酸、パーオキシヘプタノイル酸、パーオキシオクタノイル酸、パーオキシノナノイル酸、パーオキシデカノイル酸及びそれらの塩である。
【０１４１】
他の特に好ましい過酸または過酸塩は、次式のパーオキシスルホン酸及びその塩である。
【０１４２】
【化１２】
2015531798.tif 000013
式中、Ｒは、アルキル基、アラルキル基、シクロアルキル基、アリール基またはヘテロ環式基を表し、好ましくは線状または分枝状で置換されたまたは置換されていないアルキル基を表し、特に好ましくは炭素原子数６〜９のアルキル基を表し、そしてＸ＋は、適当な対イオン、好ましくはＨ＋、カリウムイオンまたはナトリウムイオンを意味する。
【０１４３】
他の特に好ましい過酸または過酸塩は、パーオキソフタル酸及びその塩、フタルイミド過酸及びその塩、ジパーオキシカルボン酸及びその塩、またはパーオキシ硫酸及びその塩である。
【０１４４】
漂白活性化剤無しで作用する漂白剤の中では、特に、モノパーオキシフタル酸及びその塩、Ｎ，Ｎ−フタルイミドパーヘキサン酸（ＰＡＰ）及びその塩、ジパーアゼライン酸及びその塩、ジパードデカン二酸及びその塩、及びモノパーオキシ硫酸及びその塩からなる群から選択される過酸またはその塩が好ましく、ここで塩は、好ましくは、ナトリウム塩及び／またはカリウム塩から選択される。モノパーオキシ硫酸及びその塩の中では、特に、パーオキシモノ硫酸カリウム（Ｃａｒｏａｔの商品名で入手できる）が好ましい。
【０１４５】
本発明による使用では、一種または二種以上の漂白剤は、本発明による組成物の総質量を基準にして、好ましくは１〜２５質量％、特に好ましくは５〜２０質量％、とりわけ好ましくは８〜１６質量％の量で使用される。記載の漂白剤の量は、本発明の使用において用いられる漂白剤の総量であり、これは、本発明による組成物中の漂白剤の量、及び本発明による組成物とは別けて添加される漂白剤の量から生ずる。
【０１４６】
一種または二種以上の漂白剤は、本発明による使用の場合、漂白活性化剤無しでか、または一種または二種以上の漂白活性化剤と共に、使用できる。
【０１４７】
本発明による使用の好ましい実施形態の一つでは、この使用は、一種または二種以上の漂白活性化剤の存在下に行われる。
【０１４８】
本発明による使用では、本発明による組成物は、既に上述したように、漂白活性化剤を含むことができる。
【０１４９】
本発明による使用では、本発明による組成物は、本発明による組成物とは別けて使用される一種または二種以上の漂白活性化剤と組み合わせることができる。これは、本発明による組成物が既に漂白活性化剤を含む場合にも該当し得る。
【０１５０】
しかし、本発明の好ましい実施形態の一つでは、本発明による組成物は漂白活性化剤を含まないが、使用の時に一種または二種以上の漂白活性化剤と組み合わせるようにして使用される。
【０１５１】
漂白活性化剤の使用が、漂白剤の存在下でしか意味がないことは当業者には既知である。
【０１５２】
本発明の好ましい実施形態の一つでは、漂白活性化剤は、物理的混合物中に漂白剤と一緒に、但し、本発明による組成物とは別けて、使用される。この本発明の好ましい実施形態では、漂白活性化剤と漂白剤との前記物理的混合物は、２５℃で固形物の形態で存在する。本発明による使用において漂白活性化剤が物理的混合物中で漂白剤と一緒に使用される場合には、本発明による組成物は、好ましくは、漂白剤も漂白活性化剤も含まない。
【０１５３】
本発明の好ましい実施形態の一つでは、漂白活性化剤は、漂白剤とは別けてかつ本発明による組成物とは別けて、使用される。本発明による使用において、漂白活性化剤が、漂白剤とは別けてかつ本発明による組成物とは別けて使用される場合には、本発明による組成物は、好ましくは、漂白剤も漂白活性化剤も含まない。
【０１５４】
本発明による使用では、本発明による組成物の説明において既に上述したのと同じ漂白活性化剤が使用される。そこで好ましいものとして記載した漂白活性化剤は、本発明による使用においても好ましい。これは、一種または二種以上の漂白活性化剤が本発明による組成物中に含まれる場合にも、並びにこれらが、本発明による使用の時に、本発明による組成物に対し追加的に加えられる場合にも該当する。
【０１５５】
本発明による使用の時に漂白活性化剤が使用される場合には、これらは、本発明による組成物の総質量を基準にして、好ましくは１〜１０質量％の量で、特に好ましくは１〜６質量％の量で、とりわけ好ましくは２〜５質量％の量で存在するように、使用される。記載の漂白活性化剤の量は、本発明の使用において用いられる漂白活性化剤の総量であり、これは、本発明による組成物中の漂白活性化剤の量、及び本発明による組成物とは別けて添加される漂白活性化剤の量から生ずる。
【０１５６】
洗浄液は、十分な漂白結果を得るために、好ましくは８．０〜１１．０、特に好ましくは８．５〜１０．５、とりわけ好ましくは９．０〜１０．０のｐＨ値を有するべきである。洗浄液中のｐＨ値の上昇は、洗浄アルカリ、例えば炭酸ナトリウムによって達成することができる。
【０１５７】
洗浄温度は、好ましくは２０〜８０℃、特に好ましくは３０〜６０℃、とりわけ好ましくは４０〜６０℃である。
【０１５８】
以下の例は本発明を説明するものであるが、本発明はこれらの例に限定されない。全ての百分率の記載は、他に明示的に記載がなければ、質量％と解されたい。
【実施例】
【０１５９】
洗濯試験を以下の調合物を用いて行った。
【０１６０】
【表１】
2015531798.tif 000014
【０１６１】
製造手順
Ｉ：  加温してＡをＢ中に溶解する。
ＩＩ：  Ｉ中に成分Ｃを順次添加、溶解する。
ＩＩＩ：  ＩＩ中に成分Ｄを順次添加する。
ＩＶ：  ＩＩＩを室温に冷却し、そしてＥを添加する。
【０１６２】
【表２】
2015531798.tif 000015
【０１６３】
調合物Ａと同様の製造手順
洗濯試験を以下の条件で行った。
洗濯機：            ミーレノボトロニックＷ９２７  ＷＰＳ
プログラム：        煮沸／色物洗濯
負荷量：            ３ｋｇ
温度：              ４０℃
洗濯サイクル数：    三回
水量                １２リットル
調合物Ａ及びＢのそれぞれ３０ｇを、洗濯機に添加する直前に、５００ｍｌの水中に溶解し、そしてそれぞれの溶液に、２ｇのＴＡＥＤ、４ｇの過炭酸ナトリウム及び１１ｇの炭酸ナトリウムを加えた。得られた調合物を、以下に調合物Ａ１及び調合物Ｂ１と称する。
【０１６４】
洗濯していない木綿繊維材料に対する洗濯した木綿繊維材料の反射値の差ΔＲ４５７ｎｍを測定した。測定した汚染された繊維材料は商業的に購入できる。次の６種の繊維材料／汚染物を測定した：ＣＦＴ  ＢＣ−１（お茶）、ＣＦＴ  ＢＣ−３（低温用のお茶）、ＣＦＴ  ＣＳ−３、（赤ワイン）、ＷＦＫ  １０Ｋ  （コーヒー）、ＣＦＴ  ＣＳ−１５（ブルーベリージュース）、ＣＦＴ  ＣＳ−８（草）。
測定：
装置：                Ｅｌｒｅｐｈｏ  ３０００（データカラー）
開口：                ＸＬＡＶ  Φ３４ｍｍ
エッジフィルター：  ４００ｎｍ
測定は、調合物を調製した後直ぐに行った。
【０１６５】
以下の表Ａには、全ての６種の汚れについての測定された反射値の差ΔＲ４５７ｎｍを記載する。更に、全ての６種の汚れについての測定された反射値の差ΔＲ４５７ｎｍの合計を記載する。
【０１６６】
測定のためには、上記の漂白添加剤を含む調合物Ａ１及びＢ１を使用した。
【０１６７】
【表３】
2015531798.tif 000016
【０１６８】
表Ａの結果から、本発明によるモノエタノールアミンフリーの調合物Ｂは、過炭酸ナトリウムとＴＡＥＤとからなる漂白系との組み合わせにおいて、モノエタノールアミン含有液状比較組成物Ａと比べて、漂白可能な汚れに対しより良好な作用を示すことが分かる。
【国際調査報告】
2015531798.tif 000017
2015531798.tif 000018
2015531798.tif 000019
2015531798.tif 000020
2015531798.tif 000021
2015531798.tif 000022